(57)【特許請求の範囲】
【請求項１】
ハンガーレールに支持された多数のランナーの吊下軸に、スラットを吊下支持したスラットハンガーをそれぞれ弾性的に支持するスラットハンガー取付装置と、
前記各スラットの下端部に取着したバランスウェイトをボトムコードで連結し、前記ボトムコードを前記バランスウェイトに支持したボトムコード取付装置と
を備えた縦型ブラインドにおいて、
前記ボトムコード取付装置において、前記ボトムコードを前記バランスウェイトから離脱させるために要する引張り力を、前記スラットハンガー取付装置において前記スラットハンガーを前記吊下軸から離脱させるために要する引張り力より小さくしたことを特徴とする縦型ブラインド。
【請求項２】
前記ボトムコード取付装置は、
前記バランスウェイトのケース側縁に弾性を有する合成樹脂で形成したフックと、
前記ボトムコードに取着され、前記フックに弾性的に係合可能とした連結リングと
を備えたことを特徴とする請求項１記載の縦型ブラインド。
【請求項３】
前記フックを前記ケースから下方に向かって突出し、前記フックの先端には前記ケースの側縁に向かって突出する突部を設け、前記連結リングを金属の線材で形成し、前記突部と前記ケースの側縁との間隔を前記連結リングの線材の直径より小さくしたことを特徴とする請求項２記載の縦型ブラインド。
【請求項４】
前記フックを前記スラットで覆ったことを特徴とする請求項２又は３記載の縦型ブラインド。
【請求項５】
前記フックの上面を水平面とし、前記スラットハンガーの支軸を支持する吊下軸の掛止部の上面には、前記支軸に係合する保持突部を備えたことを特徴とする請求項２乃至４のいずれか１項に記載の縦型ブラインド。
【発明の詳細な説明】
【技術分野】
【０００１】
この発明は、縦型ブラインドのバランスウェイトにボトムコードを接続するボトムコード取付装置に関するものである。
【背景技術】
【０００２】
縦型ブラインドは、ハンガーレール内に多数のランナーが移動可能に支持され、各ランナーにはそれぞれスラットハンガーを介してスラットが吊下支持される。各スラットの下端部にはバランスウェイトが取着されるとともに、隣り合うスラットのバランスウェイトがボトムコードで連結されて、スラット下端部の風等による無用なバタつきを防止するようになっている。
【０００３】
特許文献１には、バランスウェイトのケースの両端部に下方へ開口するフックが形成され、そのフックに連結環を介してボトムコードを取着するボトムコード取付装置を備えた縦型ブラインドが開示されている。
【０００４】
また、この縦型ブラインドでは、ランナーのスラット吊下軸の下端部に、上方へ開口するフックが形成され、そのフックにスラットハンガーを介してスラットを吊下支持するようになっている。
【先行技術文献】
【特許文献】
【０００５】
【特許文献１】特開２００６‐２４９７８３号公報
【発明の概要】
【発明が解決しようとする課題】
【０００６】
特許文献１に開示された縦型ブラインドでは、ボトムコードに下方への過大な引張り力が作用したとき、連結環がフックから速やかに外れるようにすることが望ましい。
しかし、バランスウェイトが傾かないと連結環がフックから外れ難いため、過大な引張り力によりスラットやスラットハンガー、あるいはランナー等が破損することがあるという問題点がある。
【０００７】
ボトムコードに下方への過大な引張り力が作用すると、バランスウェイトからのボトムコードの離脱に先だってスラットハンガーがスラット吊下軸から外れる可能性もある。
すると、スラットハンガーを天井面近傍等の高い位置にあるスラット吊下軸にあらためて取付ける必要があるため、その作業が煩雑である。
【０００８】
この発明の目的は、ボトムコードに下方への過大な引張り力が作用したとき、ボトムコードをバランスウェイトから離脱させて、スラットハンガー取付装置やボトムコード取付装置の破損を防止し、かつボトムコードの復元作業を容易に行い得る縦型ブラインドを提供することにある。
【課題を解決するための手段】
【０００９】
請求項１では、ハンガーレールに支持された多数のランナーの吊下軸に、スラットを吊下支持したスラットハンガーをそれぞれ弾性的に支持するスラットハンガー取付装置と、
前記各スラットの下端部に取着したバランスウェイトをボトムコードで連結し、前記ボトムコードを前記バランスウェイトに支持したボトムコード取付装置とを備えた縦型ブラインドにおいて、前記ボトムコード取付装置において、前記ボトムコードを前記バランスウェイトから離脱させるために要する引張り力を、前記スラットハンガー取付装置において前記スラットハンガーを前記吊下軸から離脱させるために要する引張り力より小さくした。
【００１０】
請求項２では、前記ボトムコード取付装置は、前記バランスウェイトのケース側縁に弾性を有する合成樹脂で形成したフックと、前記ボトムコードに取着され、前記フックに弾性的に係合可能とした連結リングとを備えた。
【００１１】
請求項３では、前記フックを前記ケースから下方に向かって突出し、前記フックの先端には前記ケースの側縁に向かって突出する突部を設け、前記連結リングを金属の線材で形成し、前記突部と前記ケースの側縁との間隔を前記連結リングの線材の直径より小さくした。
【００１２】
請求項４では、前記フックを前記スラットで覆った。
請求項５では、前記フックの上面を水平面とし、前記スラットハンガーの支軸を支持する吊下軸の掛止部の上面には、前記支軸に係合する保持突部を備えた。
【発明の効果】
【００１３】
本発明によれば、ボトムコードに下方への過大な引張り力が作用したとき、ボトムコードをバランスウェイトから離脱させて、スラットハンガー取付装置やボトムコード取付装置の破損を防止し、かつボトムコードの復元作業を容易に行い得る縦型ブラインドを提供することができる。
【図面の簡単な説明】
【００１４】
【図１】縦型ブラインドを示す正面図である。
【図２】スラットハンガー取付装置を示す断面図である。
【図３】スラットハンガーを示す斜視図である。
【図４】スラットハンガーと吊下軸を示す分解斜視図である。
【図５】スラットハンガーの取付操作を示す断面図である。
【図６】スラットハンガーの取付操作を示す断面図である。
【図７】スラットハンガーの取付操作を示す断面図である。
【図８】スラットハンガーの取付操作を示す断面図である。
【図９】スラットハンガーの取付操作を示す断面図である。
【図１０】バランスウェイトを示す正面図である。
【図１１】ボトムコード取付装置を示す断面図である。
【図１２】ボトムコード取付装置を示す断面図である。
【発明を実施するための形態】
【００１５】
以下、この発明を具体化した一実施形態を図面に従って説明する。図１に示す縦型ブラインドは、ハンガーレール１内に多数のランナー２が移動可能に支持され、各ランナー２からそれぞれスラット３が吊下支持されている。
【００１６】
前記多数のランナー２の一側において、前記ハンガーレール１から操作棒４が垂下され、その操作棒４はハンガーレール１に沿って移動可能に支持されている。そして、操作棒４をハンガーレール１に沿って移動させると、先頭ランナー２ａが同方向に移動され、先頭ランナー２ａの移動にともなって後続のランナー２が同方向に移送される。
【００１７】
従って、図１において操作棒４をハンガーレール１の左端側に移動させると、先頭ランナー２ａが同方向に移動され、後続のランナー２が等間隔を隔ててハンガーレール１の左端側に順次移送される。この結果、スラット３が等間隔を隔てて順次引き出される。
【００１８】
また、操作棒４をハンガーレール１の右端側に移動させると、先頭ランナー２ａにより後続のランナー２が順次押し戻され、スラット３がハンガーレール１の右端側に畳み込まれる。
【００１９】
また、前記操作棒４を回動操作すると前記ハンガーレール１内に回転可能に支持される後記角度調節軸１０が回転され、その角度調節軸１０の回転にともなって各スラット３が同位相で回動されるにようになっている。
【００２０】
前記各スラット３の下端部にはバランスウェイト５が吊下支持され、各バランスウェイト５はボトムコード５ａで連結されて、風等によりスラット３のバタつきを防止するようになっている。
【００２１】
次に、前記各スラット３をランナー２，２ａに吊下支持するためのスラットハンガー取付装置について説明する。前記ランナー２及び先頭ランナー２ａについて、スラットハンガー取付装置は同一構成であるので、ランナー２について説明する。
【００２２】
前記ランナー２は、図２において、その中央部から一側にかけて上方に開口した中空状の直方体部５３として形成され、その直方体部５３の側壁５４に形成された軸受孔（図示しない）にウォーム９が回転可能に支持されている。前記ウォーム９は、軸受孔に対しウォーム９の径方向及び回転軸方向に若干のクリアランスを設けて支持されている。
【００２３】
前記ケース６の中央部において、前記直方体部５３には弾性を有する合成樹脂で形成された吊下軸７がその軸心を上下方向として軸受部に１１回転可能に支持され、その吊下軸７の上部に前記ウォーム９に噛み合うウォームホィール８が常には相対回転不能に嵌合されている。
【００２４】
前記直方体部５３の側壁５４の間隔は、前記ウォームホィール８の直径より若干狭く形成されている。そして、側壁５４にはウォームホィール８の外周面に沿って抉られた保持部５５が形成され、その保持部５５間でウォームホィール８が回転可能に支持されている。
【００２５】
前記ウォーム９の中心部には、角度調節軸１０が軸方向に相対移動可能に、かつ相対回転不能に挿通されている。従って、角度調節軸１０が回転されると、ウォーム９及びウォームホィール８を介して吊下軸７が回転される。
【００２６】
前記吊下軸７の上端部は二股状に形成されるとともに、その二股部分の先端には吊下軸７の径方向両側に楔状に突出するストッパー部４１が形成されている。前記ウォームホィール８は中心部に貫通孔４２を備えた筒状に形成されている。
【００２７】
そして、前記貫通孔４２に前記ストッパー部４１を縮径方向に撓ませながら挿入し、貫通孔４２の一端側（図２において上端側）にストッパー部４１を露出させると、ストッパー部４１がウォームホィール８の一方の端縁に係合する。すると、吊下軸７の長手方向中間部に設けられたフランジ部４３とストッパー部４１との間で、ウォームホィール８が吊下軸７に対し軸方向に相対移動不能に支持される。
【００２８】
前記ウォームホィール８は、上部外周面にウォーム９と噛み合う歯が形成され、下部はその歯先と同一の外形を備えた円筒状に形成されて、その境界部に段差４４が形成されている。そして、吊下軸７がケース６に対し上方へ移動しようとすると、段差４４がウォーム９の歯に係合するため、吊下軸７が容易には上方へ抜けないようになっている。
【００２９】
前記吊下軸７のフランジ部４３の下面には、中心に対し９０度の範囲でフランジ部４３を肉厚とする被回転規制部４５が形成されている。また、前記軸受部１１には前記被回転規制部４５に当接する回転規制部４６が形成されている。
【００３０】
そして、被回転規制部４５及び回転規制部４６の作用により、スラット３が全閉状態から逆全閉状態まで回動されるときの吊下軸７の回動範囲が設定されている。
前記吊下軸７のフランジ部４３の上部には、径方向に突出して前記ウォームホィール８の内周面との間の摩擦を確保する摩擦生成部４７が形成されている。そして、摩擦生成部４７とウォームホィール８の内周面との間に生成される摩擦により、常には吊下軸７とウォームホィール８とが一体に回転される。
【００３１】
また、スラット３が全閉状態あるいは逆全閉状態まで回動された後、ウォーム９が同方向にさらに回転されると、ウォームホィール８が吊下軸７に対し空回りするようになっている。従って、スラット３の角度が不揃いであるときは、角度調節軸１０を回動操作し続ければ、全てのスラット３が全閉方向あるいは逆全閉状態まで回動される。
【００３２】
前記ランナー２は、ケース６の両側において水平方向に延びるローラー軸４８にローラー４９が回転可能に支持され、そのローラー４９が前記ハンガーレール１の内側面に突出されるリブ５０を案内レールとしてハンガーレール１内を移動するようになっている。
【００３３】
図２において、前記ランナー２のケース６の左右両側には、操作コード５１を挿通可能とした透孔５２が形成されている。ハンガーレール１内で周回可能に引き回される操作コードでランナー２の移送操作を行うコード操作仕様の縦型ブラインドでは、この透孔５２に操作コード５１が挿通される。
【００３４】
前記吊下軸７は、前記ウォームホィール８を嵌合した状態でケース６の軸受部１１に上方から挿入される。ウォーム９は径方向及び軸方向に若干のクリアランスを設けてケース６に支持されているので、ウォームホィール８はウォーム９を押しのけながらウォーム９に嵌合する。
【００３５】
また、ウォーム９はその外周面に螺旋状に連なる歯が形成され、その歯にウォームホィール８の歯が噛み合っているので、その噛み合いにより常にはウォームホィール８の上方への抜けが防止されている。
【００３６】
吊下軸７をケース６から取り外すには、吊下軸７を上方へ押し上げる。すると、ウォームホィール８がウォーム９を押しのけながら上方へ移動してウォーム９から外れ、吊下軸７を上方へ抜き取り可能となる。
【００３７】
前記吊下軸７の下端部には前記スラット３を吊下支持するためのフック１２が形成されている。前記フック１２は下方に向かって開口する二股状に形成されて、支持片１３と案内片１４が形成されている。
【００３８】
前記支持片１３は、前記案内片１４より長く形成され、図２及び図４に示すように、その下端部には案内片１４に向かって突出する突部１５が形成されている。
前記突部１５の上方には、同じく案内片１４に向かって突出する掛止部１６が形成されている。従って、前記突部１５と掛止部１６との間が溝状となっている。また、前記掛止部１６の上面は、前記ランナー２がハンガーレール１に支持されている状態でほぼ水平方向となるように形成されるとともに、その先端側には上方に山形に突出する保持突部３４が形成されている。
【００３９】
前記案内片１４の下端部には、前記掛止部１６のやや上方から下方に位置する部分の肉厚を薄くする段差部１７が形成されている。そして、段差部１７の上方には垂直面１８に続いて、前記支持片１３との間隔を徐々に狭くする斜面１９が形成されている。
【００４０】
従って、掛止部１６の上方において、支持片１３と案内片１４との間に形成される空間の幅は、中間部から上部に向かって徐々に狭くなっている。
前記スラット３を前記フック１２に吊下支持するためのスラットハンガー２０は、図３に示すように、合成樹脂で長板状に形成され、その両端には鍔状の抜け止め２１が形成されている。
【００４１】
前記スラットハンガー２０の中央部には、上方に開口する取付溝２２が形成され、その取付溝２２の上部には取付溝２２の対向する側面を連結する断面円形の支軸２３が形成されている。前記支軸２３の直径は、前記支持片１３の掛止部１６と案内片１４との間隙より大きい径となっている。また、取付溝２２の周縁部は、前記抜け止め２１と同様に、スラットハンガー２０の厚さ方向に鍔状に突出する位置ずれ防止部２４が形成されている。
【００４２】
前記取付溝２２の底面には、上方に突出する突条２５が形成され、その突条２５の上端部にはスラットハンガー２０の厚さ方向に突出して、前記吊下軸７の突部１５に係合可能とした突部２６が２箇所形成されている。
【００４３】
前記スラット３の上端部には、折り返して縫製することにより袋状部２７が形成され、その袋状部２７に前記スラットハンガー２０が挿通される。前記袋状部２７の中央部には、スラットハンガー２０の取付溝２２を露出させるためのくり抜き孔２８が形成されている。
【００４４】
図１０に示すように、前記バランスウェイト５のケース２９の上部両側には下方に延びるフック３０が形成され、そのフック３０の先端部はケース２９の側縁に向かって楔状に突出する突部３１が形成されている。
【００４５】
前記ボトムコード５ａには金属の線材を折り曲げて形成した多数の連結リング３２が等間隔に取着され、各連結リング３２が各スラット３のバランスウェイト５のフック３０に支持されている。
【００４６】
前記突部３１とケース２９の側縁との間隔は、前記連結リング３２の線材の直径より若干狭く形成されている。そして、連結リング３２をフック３０に取り付けるには、連結リング３２を突部３１とケース２９の側縁との間に下方から挿入して、図１１に示すように、連結リング３２を突部３１の上面３３に保持させる。すると、ボトムコード５ａが連結リング３２を介してフック３０に吊下支持される。
【００４７】
前記突部３１の上面３３は、スラット３が垂直方向に吊下支持されている状態では、水平面若しくはケース２９の側縁に向かって僅かに下がる斜面となるように形成されている。また、突部３１の先端部は曲面状となるように形成されている。
【００４８】
前記バランスウェイト５のケース２９にはスラット３の下端部が巻回されて保持され、スラット３の下端部にバランスウェイト５が保持される。前記フック３０は、ケース２９に巻回されるスラット３で覆われるように位置し、外光による劣化が防止されるようになっている。
【００４９】
このように構成されたボトムコード取付装置では、ボトムコード５ａに下方（図１１に示す矢印Ａ方向）への過大な引張り力が作用すると、図１２に示すように、連結リング３２が突部３１の先端側に移動し、突部３１とケース２９の側縁との間に侵入する。そして、フック３０を矢印Ｂに撓ませながら突部３１から離脱する。
【００５０】
このとき、連結リング３２がフック３０から離脱する引張り力が、前記スラットハンガー取付装置の支軸２３が吊下軸７から離脱する引張り力より小さくなるように、突部３１とケース２９の側縁との間隔や、フック３０の撓み易さが設定されている。
【００５１】
次に、上記のように構成されたスラットハンガー取付装置と、ボトムコード取付装置の作用を説明する。
スラット３をランナー２，２ａに吊下支持するには、図５に示すように、まず支軸２３を掛止部１６と案内片１４との間にあてがって上方へ押し上げる。
【００５２】
すると、図５に鎖線で示すように、案内片１４が撓んで支持片１３との間隔が拡大され、図２に示すように、支軸２３が掛止部１６を乗り越えて、掛止部１６の上面に支持される状態となる。
【００５３】
この状態では、スラット３がスラットハンガー２０を介して吊下軸７に吊下支持され、吊下軸７の回転に基づいて回動される。
スラット３をランナー２，２ａから取り外すには、図６に示すように、スラットハンガー２０を上方へ押し上げて支軸２３を支持片１３と案内片１４との間に形成される空間の上部に移動させる。
【００５４】
次いで、図７に示すように、スラットハンガー２０を矢印方向に傾けると、スラットハンガー２０の突部２６が支持片１３の突部２６に係合して、スラットハンガー２０の回動支点となる。そして、スラットハンガー２０を傾けると案内片１４が支軸２３により押圧されて撓み、その反作用により支持片１３も撓んで支軸２３が下方へ移動する。
【００５５】
次いで、支軸２３が段差部１７より下方に達すると、支軸２３が同方向へ回動し易くなり、支軸２３と案内片１４との係合が外れて、図８に示すように、スラットハンガー２０が吊下軸７から外れる。
【００５６】
また、ランナー２，２ａに吊下支持されたスラット３に対し下方へ過大な引張り力が作用すると、支持片１３及び案内片１４の弾性により、掛止部１６と案内片１４との間隔が拡大され、支軸２３が下方へ外れる。従って、スラット３やスラットハンガー２０あるいはランナー２，２ａを破損することなくスラット３がランナー２，２ａから外れる。
【００５７】
ボトムコード５ａに下方への過大な引張り力が作用すると、フック３０から連結リング３２が外れる。この時、ボトムコード５ａに作用する引張り力が、ボトムコード５ａからスラット３を介して支軸２３に作用しても、支軸２３の吊下軸７からの離脱に先立って連結リング３２がフック３０から外れる。
【００５８】
従って、ボトムコード５ａに作用する引張り力では、スラットハンガー２０が吊下軸７から脱落することはない。
また、フック３０から外れた連結リング３２を、再度フック３０に掛装すれば、スラット３の下端部をボトムコード５ａで連結する状態に復帰させることができる。
【００５９】
上記のように構成された縦型ブラインドでは、次に示す効果を得ることができる。
（１）スラットハンガー２０をランナー２，２ａの吊下軸７に対し下方から挿入して取り付けることができる。
（２）スラット３に下方への過大な引張り力が作用すると、ランナー２，２ａ、スラットハンガー２０及びスラット３を破損することなく、スラット３をランナー２，２ａから外すことができる。
（３）ボトムコード５ａに下方への過大な引張り力が作用すると、バランスウェイト５のフック３０から連結リング３２が弾性的に離脱する。従って、ボトムコード５ａに下方への過大な引張り力が作用しても、スラット３やスラットハンガー取付装置が破損されることはない。
（４）ボトムコード５ａに下方への過大な引張り力が作用すると、スラットハンガー２０の吊下軸７からの脱落に先だって、ボトムコード５ａをバランスウェイト５のフック３０から離脱させることができる。従って、ボトムコード５ａに下方への過大な引張り力が作用したときには、連結リング３２だけがフック３０から離脱するので、復帰作業が容易となる。
（５）スラットハンガー２０を吊下軸７から取り外すとき、スラットハンガー２０の突部２６を支持片１３下端の突部１５に係合させて、スラットハンガー２０の回動支点を確保することができる。従って、スラットハンガー２０を回動させて支軸２３で案内片１４を容易に撓ませて、スラットハンガー２０を吊下軸７から取り外すことができる。
（６）スラットハンガー２０の突部２６は、表裏両面方向に対称状に形成されているので、スラットハンガー２０をフック１２に取り付ける際、スラットハンガー２０の取付方向は表裏いずれの方向でも同様に行うことができる。
（７）支持片１３の下端を案内片１４の下端より下方に位置させたので、スラットハンガー２０を上方へ押し上げてスラットハンガー２０の突部２６を支持片１３の突部１５に係合させるとき、スラットハンガー２０を突部１５の反対側に傾けても、突部２６に当接するものはない。従って、スラットハンガー２０を傾ける方向は、突部２６に当接する支持片側１３に一義的に容易に判断可能であるので、スラット３の取り外し操作を容易に行うことができる。
（８）支持片１３の下端部は段差部１７を介して肉薄となっているので、支軸２３が段差部１７より下方に達すると、支軸２３の回動操作をさらに軽微な操作力で行うことができる。従って、スラットハンガー２０を吊下軸７から取り外すための支軸２３の回動操作を容易に行うことができる。
（９）支持片１３及び案内片１４を、スラットハンガー２０を吊り下げた状態での回動時に、スラットハンガー２０の突条２５に当接しない長さとしたので、図９に示すように、風等によりスラット３が揺動してスラットハンガー２０が回動されても、案内片１４がスラットハンガー２０で撓まされることはない。従って、風等によるスラット３が揺動した場合、あるいはスラット３が斜め下方に引っ張られても、スラットハンガー２０及びスラット３の脱落を防止することができる。
（１０）支持片１３及び案内片１４を、スラットハンガー２０を吊り下げた状態での回動時に、スラットハンガー２０の取付溝２２の下面（突条２５の上面）に当接しない長さとしたので、スラットハンガー２０を、吊下軸７に対し１８０度以上回動させることができるとともに、１８０度以上回動しても吊下軸７から外れない。
（１１）掛止部１６の上面に設けた保持突部３４により、支軸２３が掛止部１６から脱落するスラット３への引っ張り力を大きくして、支軸２３を掛止部１６から外れ難くすることができる。
（１２）フック３０がスラット３で覆われているので、太陽光の照射による樹脂の劣化を抑制して、フック３０の機械的な強度低下を抑制することができる。
【００６０】
上記実施形態は、以下の態様で実施してもよい。
・突部１５，２６はいずれか一方を突部とし、他方を凹部とすればよい。
・ボトムコードをバランスウェイトに取着する構成は、連結リングをフックに掛装する構成以外に、ボトムコードとバランスウェイトとを互いに弾性的に嵌合する嵌合部材で連結するようにしてもよい。
【符号の説明】
【００６１】
１…ハンガーレール、２，２ａ…ランナー、３…スラット、５…バランスウェイト、５ａ…ボトムコード、７…吊下軸、２０…スラットハンガー、２９…ケース、３０…フック、３１…嵌合部材（突部）、３２…嵌合部材（連結リング）。
【図１】
0005788221.tif 000002
【図２】
0005788221.tif 000003
【図３】
0005788221.tif 000004
【図４】
0005788221.tif 000005
【図５】
0005788221.tif 000006
【図６】
0005788221.tif 000007
【図７】
0005788221.tif 000008
【図８】
0005788221.tif 000009
【図９】
0005788221.tif 000010
【図１０】
0005788221.tif 000011
【図１１】
0005788221.tif 000012
【図１２】
0005788221.tif 000013